(57)【要約】      （修正有）【課題】パネル情報を含む標識が直接付されたパネルを複数枚重ねて収納しても、その標識部分に荷重を集中させず、かつ各パネルの管理に特別なスペーサシートを要しない、パネル収納箱の提供。【解決手段】パネル収納箱１は、パネル情報を含む標識４が端部４１に付された複数枚のパネル２が、重ねられて収納される収納室１１と、収納室１１内の何れかの面と、標識４が付された側の端面４３と対向する前記パネルの対向端面４４との間に介在され、収納室１１の床１２面側から上るような階段７を有する階段スペーサ５と、を備え、階段スペーサ５の各段が、前記パネル２の厚みに対応する一の面１５と、標識４から標識４が付された側の端面４３までの距離に対応する二の面２５とを有する。【選択図】図２
2010285156.tif 000002
【特許請求の範囲】
【請求項１】
パネル情報を含む標識が端部に付された複数枚のパネルが、重ねられて収納される収納室と、
前記収納室内の何れかの面と、前記標識が付された側の端面と対向する前記パネルの対向端面との間に介在され、該収納室の床面側から上るような階段を有する階段スペーサと、を備え、
前記階段スペーサの各段が、前記パネルの厚みに対応する一の面と、前記標識から該標識が付された側の端面までの距離に対応する二の面と、を有することを特徴とするパネル収納箱。
【請求項２】
前記収納室内のパネルを挟むように前記階段スペーサと対向し、かつ該階段スペーサの階段と、当て嵌まるような逆さ状の階段を有する対向逆さ階段スペーサを備える請求項１に記載のパネル収納箱。
【請求項３】
前記収納室内の何れかの面が、前記収納室の側壁面からなり、
前記一の面が、前記パネルの厚みに対応する蹴上げ高さを有し、かつ前記対向端面と接触する蹴上げ面からなり、
前記二の面が、前記標識から該標識が付された側の端面までの距離に対応する奥行を有し、前記対向端面側の前記パネルの端部を乗せる踏み面からなる請求項１又は２に記載のパネル収納箱。
【請求項４】
前記収納室内の何れかの面が、前記収納室の床面からなり、  
前記一の面が、前記パネルの厚みに対応する奥行を有し、かつ前記対向端面側の前記パネルの端部を乗せる踏み面からなり、
前記二の面が、前記標識から該標識が付された側の端面までの距離に対応する蹴上げ高さを有し、かつ前記対向端面側の前記パネルの端部と接触する蹴上げ面からなる請求項１又は２に記載のパネル収納箱。
【請求項５】
前記収納室の床面に対する法線方向に沿って、前記パネルが積み重ねられる請求項１〜３の何れか１項に記載のパネル収納箱。
【請求項６】
前記パネルが、液晶パネルからなる請求項１〜５の何れか１項に記載のパネル収納箱。
【発明の詳細な説明】
【技術分野】
【０００１】
本発明は、複数枚のパネルを、それぞれ識別できるように重ねて収納するパネル収納箱に関する。
【背景技術】
【０００２】
従来、液晶表示装置の構成部品である液晶パネルは、輸送等の目的で、箱の中に収納され、管理されることがある。この場合、通常、１つの箱の中に、複数枚の液晶パネルが積み重ねられて入れられる。これらの液晶パネルには、それぞれバーコード等からなる認証コードラベルが貼付されており、それらのラベルに基づいて、箱の中の各液晶パネルが識別され、各パネル情報が管理される。
【０００３】
このように、各パネルを管理できるように箱の中に複数枚の液晶パネルを重ねて収納する方法としては、例えば、特許文献１に示される方法がある。ここで、図７を参照しつつ、前記特許文献１に示される従来のパネル収納方法を説明する。図７は、従来のパネル収納法で用いられるパネル収納箱１Ｐの説明図（斜視図）である。図７には、更に、該パネル収納箱１Ｐに入れられる液晶パネル２Ｐと、この液晶パネル２Ｐと共にパネル収納箱１Ｐに入れられるスペーサシート３Ｐとが示されている。
【０００４】
特許文献１の方法では、前記パネル収納箱１Ｐの中に、液晶パネル２Ｐとスペーサシート３Ｐとが交互に積み重なるように入れられる。前記スペーサシート３Ｐは、発泡ポリプロピレン等のクッション性を有するシート材料からなり、前記液晶パネル２Ｐに重ねた時に、縁の一部がはみ出すように液晶パネル２Ｐよりも大きく設定されている。
スペーサシート３Ｐのはみ出した部分は耳部と称され、その耳部に液晶パネル２Ｐを識別するための識別ラベル４Ｐが貼られる。識別ラベル４Ｐは、複数枚の液晶パネル２Ｐに対しそれぞれ割り当てられており、各識別ラベル４Ｐは、前記パネル収納箱１Ｐ内で積み重なった各液晶パネル２Ｐを識別できるように、識別すべき各液晶パネル２Ｐと隣接する各スペーサシート３Ｐの耳部に貼られる。
【０００５】
特許文献１の方法によれば、前記パネル収納箱１Ｐ内に、複数枚の液晶パネル２Ｐを重ねて入れても、各液晶パネル２Ｐと共に重ねて入れた各スペーサシート３Ｐの各識別ラベル４Ｐを確認することによって、前記パネル収納箱１Ｐ内の各液晶パネル２Ｐを識別でき、各液晶パネル２Ｐの情報を管理できる、とされている。
【先行技術文献】
【特許文献】
【０００６】
【特許文献１】特開２００８−１７４２７２号公報
【発明の概要】
【発明が解決しようとする課題】
【０００７】
特許文献１の方法では、識別ラベル４Ｐが直接、識別されるべき液晶パネル２Ｐに貼られておらず、耳部を有する特別に設計されたスペーサシート３Ｐに貼られている。そのため、パネル収納箱１Ｐから液晶パネル２Ｐを取り出した時等において、識別ラベル４Ｐが割り当てられたスペーサシート３Ｐと、その識別ラベル４Ｐによって識別されるべき液晶パネル２Ｐとが離ればなれになることがある。すると、そのスペーサシート３Ｐは、他の識別ラベル４Ｐが貼られたスペーサシート３Ｐと入れ替わってしまうことがあり、問題となっている。
【０００８】
また、特許文献１等に記載されているように、従来、識別ラベルを直接貼った液晶パネルを、そのまま複数枚積み重ねる方法がある。しかしながら、この方法を用いると、特許文献１等に示されているように、そのラベルを貼った液晶パネルの部分に荷重が集中してしまう。このように荷重が集中すると、液晶パネルが表示不良となることがあり、問題となっている。  
【０００９】
本発明の目的は、パネル情報を含む標識が直接付されたパネルを複数枚重ねて収納しても、その標識部分に荷重を集中させず、かつ各パネルの管理に特別なスペーサシートを要しない、パネル収納箱を提供することである。
【課題を解決するための手段】
【００１０】
本発明に係るパネル収納箱は、パネル情報を含む標識が端部に付された複数枚のパネルが、重ねられて収納される収納室と、前記収納室内の何れかの面と、前記標識が付された側の端面と対向する前記パネルの対向端面との間に介在され、該収納室の床面側から上るような階段を有する階段スペーサと、を備え、前記階段スペーサの各段が、前記パネルの厚みに対応する一の面と、前記標識から該標識が付された側の端面までの距離に対応する二の面と、を有することを特徴とする。
【００１１】
前記パネル収納箱は、前記収納室内のパネルを挟むように前記階段スペーサと対向し、かつ該階段スペーサの階段と、当て嵌まるような逆さ状の階段を有する対向逆さ階段スペーサを備えることが好ましい。
【００１２】
前記パネル収納箱は、例えば、前記収納室内の何れかの面が、前記収納室の側壁面からなり、前記一の面が、前記パネルの厚みに対応する蹴上げ高さを有し、かつ前記対向端面と接触する蹴上げ面からなり、前記二の面が、前記標識から該標識が付された側の端面までの距離に対応する奥行を有し、前記対向端面側の前記パネルの端部を乗せる踏み面からなる。
【００１３】
前記パネル収納箱は、例えば、前記収納室内の何れかの面が、前記収納室の床面からなり、前記一の面が、前記パネルの厚みに対応する奥行を有し、かつ前記対向端面側の前記パネルの端部を乗せる踏み面からなり、前記二の面が、前記標識から該標識が付された側の端面までの距離に対応する蹴上げ高さを有し、かつ前記対向端面側の前記パネルの端部と接触する蹴上げ面からなる。
【００１４】
前記パネル収納箱において、前記収納室の床面に対する法線方向に沿って、前記パネルが積み重ねられることが好ましい。
【００１５】
前記パネル収納箱において、前記パネルが、液晶パネルからなることが好ましい。
【発明の効果】
【００１６】
本発明のパネル収納箱は、標識部分に荷重を集中させず、かつ特別なスペーサシートを要することなく、標識が直接付されたパネルを複数枚重ねて収納でき、かつ収納された各パネルを前記標識に基づいて管理できる。
【図面の簡単な説明】
【００１７】
【図１】液晶パネルが収納された本実施形態のパネル収納箱を上面から見た状態を示す説明図である。
【図２】図１のＡ−Ａ’線におけるパネル収納箱の断面図である。
【図３】図２のパネル収納箱から液晶パネルを除いた状態を示す説明図である。
【図４】図２のＢ−Ｂ’線におけるパネル収納箱の断面図である。
【図５】対向逆さ階段スペーサが取り外された状態のパネル収納箱を示す説明図である。
【図６】他の実施形態に係るパネル収納箱の断面図である。
【図７】従来のパネル収納箱の説明図である。
【発明を実施するための形態】
【００１８】
以下、図面を参照しつつ、本発明に係るパネル収納箱の実施形態を説明する。ただし、本発明は、本明細書に例示する実施形態に限定されるものではない。
【００１９】
〔第１実施形態〕
図１〜図５を参照しつつ、本実施形態のパネル収納箱１を説明する。図１は、液晶パネル２が収納されたパネル収納箱１を上面から見た状態を示す説明図である。図１に示されるように、パネル収納箱１は、上面から見ると、外観が略矩形状であり、液晶パネル２を収納する収納室１１を備える。前記収納室１１は、例えば、ポリプロピレン等のプラスチック材料からなり所定の金型を用いた射出成形等により製造できる。
【００２０】
収納室１１は、液晶パネル２を乗せる床１２と、この床１２から立設され、液晶パネル２を囲む壁１３とにより形成される。本実施形態における収納室１１の壁１３は、４つ部分からなり、これらは互いに向かい合う２組の壁となっている。本実施形態においては、収納室１１の壁１３の４つの部分を、説明の便宜上、左側壁１４Ａ、右側壁１４Ｂ、前壁１５Ａ、及び後壁１５Ｂと称する。これらのうち、左側壁１４Ａと右側壁１４Ｂとが互いに向かい合い、かつ前壁１５Ａと後壁１５とが互いに向かい合っている。なお、本実施形態においては、収納室１１の壁１３のうち、「側壁」と称される左側壁１４Ａ及び右側壁１４Ｂの方が、その他の前壁１５Ａ及び後壁１５Ｂよりも大きさ（幅）が小さく設定されているが、他の実施形態においては、反対に大きく設定されてもよいし、これらは互いに等しく設定されてもよい。
【００２１】
図１に示されるように、パネル収納箱１は、収納室１１の左側壁１４Ａの壁面と液晶パネル２との間に階段スペーサ５を備え、他方、収納室１１の右側壁１４Ｂの壁面と液晶パネル２との間に、前記階段スペーサ５と前記液晶パネル２を介して向かい合う対向逆さ階段スペーサ６を備える。階段スペーサ５は、左側壁１４Ａ及び床１２に対し、略隙間なく設置されている。なお、本実施形態においては、階段スペーサ５は、前壁１５Ａ及び後壁１５Ｂとも略隙間なく設置されている。
【００２２】
階段スペーサ５及び対向逆さ階段スペーサ６は、共にパネル収納箱１の収納室１１とは分離しており、着脱可能とされている。階段スペーサ５及び対向逆さ階段スペーサ６は、例えば、前記収納室１１と同様、ポリプロピレン等のプラスチック材料からなり、所定の金型を用いた射出成形等により製造できる。
【００２３】
図２は、図１のＡ−Ａ’線におけるパネル収納箱１の断面図（Ａ−Ａ’線矢視断面図）である。図３は、図２のパネル収納箱１から液晶パネル２を除いた状態を示す説明図である。図２に示されるように、階段スペーサ５は、複数の段からなり、床１２面から上るような階段７を備える。図３に示されるように、階段７の各段３５は、蹴上げ面１５、及び踏み面２５を備える。
【００２４】
各段３５における蹴上げ面１５は、床１２面に対して略垂直であり、その高さである蹴上げ高さＬ１は、液晶パネル２の厚みに対応するように設定されている。例えば、蹴上げ高さＬ１は、１枚分の液晶パネル２の厚み（スペーサシート３の厚みを含む）と略等しくなるように設定される。
【００２５】
他方、踏み面２５は、床１２面に対して略水平であり、その奥行Ｌ２は、後述する、液晶パネル２に付される標識の位置等に基づいて、定められる。
【００２６】
図２に示されるように、収納室１１に重ねて収納される液晶パネル２には、それぞれ各液晶パネル２の一端（端部４１）に、認証コードを示す標識４が付されている。この標識４は、例えば、表面に製造日、型式等のパネル情報をバーコードで表した認証コードが示され、裏面に粘着剤層を有するラベル等からなる。各標識４は、それぞれ液晶パネル２の一端側の表面に、略同じ個所に貼り付けられている。
【００２７】
標識４が付された液晶パネル２は、図２に示されるように、収納室１１の床１２面上に、積み重ねられている。各液晶パネル２は、収納室１１の床１２面に対する法線に沿い、上側に向かって積み重ねられている。各液晶パネル２において、標識４が付された側の端部４１と対向する他の端部４２が、前記階段スペーサ５の踏み面２５上に乗せられ、各液晶パネル２の端部４２側の対向端面４４が、前記階段スペーサ５の蹴上げ面１５と接触される。つまり、図２及び図３に示されるように、各液晶パネル２の端部４２の位置は、対向端面４４が階段スペーサ５の各段３５における蹴上げ面１５とそれぞれ対面するようにして揃えられている。各液晶パネル２のうち、最も下側の液晶パネル２は、床１２面上に置かれており、その対向端面４４は、階段スペーサ５の最も下側の段３５の蹴上げ面１５と接触している。つまり、最も下側の液晶パネル２は、その端部４２は、階段スペーサ５の踏み面２５上には乗っていない。このようにして、複数枚の液晶パネル２は、上側へ行くほど液晶パネル２の端部４２の位置が、より左側壁１４Ａの方にずれるように、積み重ねられている。
【００２８】
なお、各液晶パネル２の下側には、スペーサシート３が敷かれており、収納室１１内において、液晶パネル２とスペーサシート３が交互に積み重ねられている。このスペーサシート３としては、従来、汎用されている矩形状のプラスチック製シート等を使用できる。
【００２９】
図４は、図２のＢ−Ｂ’線におけるパネル収納箱１の断面図（Ｂ−Ｂ’線矢視断面図）である。図４のパネル収納箱１は、収納室１１の壁１３の一部と、階段スペーサ５及び対向逆さ階段スペーサ６の各一部を取り除いて、上面から見た状態である。図４には、最も上側の液晶パネル２が示されている。図４に示されるように、この液晶パネル２の一方の端部４１の表面には標識４が付されており、この標識４から該標識４が付された側の端面４３までの距離が、符号ｘで表されている。
【００３０】
上述したように、階段スペーサ５の踏み面２５の奥行Ｌ２は、液晶パネル２に付された標識４の位置に基づいて定められる。つまり、踏み面２５の奥行Ｌ２は、図４に示される距離ｘに基づいて定められる。図２及び図３に示されるように、階段スペーサ５の各段３５の踏み面２５上には、各液晶パネル２の端部４２が乗せられる。この踏み面２５の奥行Ｌ２の違いによって、踏み面２５上に乗せられる液晶パネル２の端部４２の長さが異なってくる。
【００３１】
本実施形態においては、図２に示されるように、各標識４が重ならないように、複数枚の液晶パネル２が収納室１１内で積み重なる必要がある。このように、各液晶パネル２を積み重ねるためには、既に置かれた液晶パネル２の上に、その液晶パネル２の標識４が見えるように、他の液晶パネル２を、左側壁１４Ａの方へ向けて水平方向にずらして重ねる必要がある。このように液晶パネル２をずらす距離は、少なくとも、図４に示される距離ｘだけ必要である。実際に、液晶パネル２をずらす距離としては、必要に応じて距離ｘに、更に標識４から端部４２側への距離ａを加えてもよい。何れの場合であっても、踏み面２５の奥行Ｌ２は、標識４から端面４３までの距離ｘに対応して定められる。
【００３２】
なお、図２及び図３に示されるように、階段スペーサ５は、その最上部において、最も上側の蹴上げ面１５よりも右側壁１４Ｂ側へ突き出た突出部４５を備えてもよい。図２に示されるように、この突出部４５によって最も上側に積まれた液晶パネル２の端部４２の表面が覆われる。最も上側の液晶パネル２の端部４２は、この突出部４５と階段スペーサ５の段３５との間によって挟まれた状態となっている。
【００３３】
また、前記階段スペーサ５と対向して配置される、対向逆さ階段スペーサ６は、図２及び図３に示されるように、階段スペーサ５の階段７の形状と当て嵌まるような、逆さ状の階段８を備える。対向逆さ階段スペーサ６の階段８は、その表面が、積み重ねられた液晶パネル２の階段状の各端部４１及び各端面４３と接触するように設定されている。対向逆さ階段スペーサ６は、積み重ねられた液晶パネル２の各端面４３と、右側壁１４Ｂの壁面との間に介在し、略隙間なく配置している。なお対向逆さ階段スペーサ６の最上部には、最も上側に積まれた液晶パネル２の端部４１の表面を覆う突出部４６が備えられている。
【００３４】
図５は、対向逆さ階段スペーサ６が取り外された状態のパネル収納箱１を示す説明図である。図５に示されるように、対向逆さ階段スペーサ６を取り外すことによって、パネル収納箱１内で積み重ねられて収納されている各液晶パネル２のすべての標識４を露出させることができる。各液晶パネル２の標識４を、所定の読み取り装置等を利用して読み取ることにより、各液晶パネル２をパネル収納箱
１内で識別でき、管理できる。
【００３５】
なお、本実施形態において、階段スペーサ５の各段３５の蹴上げ面１５が、液晶パネル２の厚みに対応する一の面となっている。これに対し、各段３５の踏み面２５が、標識４から該標識４が付された側の端面４３までの距離ｘに対応する二の面となっている。
【００３６】
本実施形態の階段スペーサ５は、パネル収納箱１の収納室１１から着脱可能な構成とされているが、他の実施形態においては、階段スペーサ５と収納室１１とを一体的な構成としてもよい。
以下、図６を参照しつつ、他の実施形態を説明する。
【００３７】
〔第２実施形態〕
図６は、他の実施形態に係るパネル収納箱１０１の断面図である。本実施形態のパネル収納箱１０１では、前記パネル収納箱１とは異なり、液晶パネル２を収納室１１１の床１１２面に対して、略垂直に立たせるように収納する。そのため各液晶パネル２は、収納室１１１内において、水平方向に重ねられる。
【００３８】
各液晶パネル２の一端（端部４１）の表面には、標識４が付されている。この標識４同士が互いに重ならないように、複数枚の液晶パネル２が互いに上下方向に位置をずらしながら、重ねられている。各液層パネル２と収納室１１１の床１１２面との間には、階段スペーサ１０５が介在されている。
【００３９】
階段スペーサ１０５は、床１１２面から上るような階段１０７を備えており、各段には、液晶パネル２の厚みに対応する奥行を有し、かつ対向端面４４側の該液晶パネル２の端部４２を乗せる踏み面１１５と、標識４から該標識４が付された側の端面４３までの距離に対応する蹴上げ高さを有し、かつ対向端面４４側の前記液晶パネル２の端部４２と接触する蹴上げ面１２５と、を備える。
【００４０】
本実施形態においても、パネル収納箱１０１内で重ねられて収納されているすべての液晶パネル２は、各標識４が露出している。そのため、各液晶パネル２の標識４を、所定の読み取り装置等を利用して読み取ることにより、各液晶パネル２をパネル収納箱１０１内で識別でき、管理できる。
【００４１】
なお、本実施形態において、階段スペーサ１０５の各段の踏み面１１５が、液晶パネル２の厚みに対応する一の面となっている。これに対し、各段３５の蹴上げ面１２５が、標識４から該標識４が付された側の端面４３までの距離に対応する二の面となっている。
【００４２】
本実施形態のパネル収納箱１０１についても、前記パネル収納箱１と同様、階段スペーサ１０５に対応させた対向逆さ階段スペーサを備えてもよい。
【００４３】
本実施形態のパネルは、何れも液晶パネルであったが、他の実施形態においては基板等の他のパネルであってもよい。
【符号の説明】
【００４４】
１  パネル収納箱
２  パネル（液晶パネル）
３  スペーサシート
４  標識
５  階段スペーサ
６  対向逆さ階段スペーサ
７  階段
１１  収納室
１２  床
１３  壁
１４Ａ  左側壁
１４Ｂ  右側壁
１５  蹴上げ面（一の面）
２５  踏み面（二の面）
３５  各段
４１  パネルの一方の端部
４２  パネルの他方の端部
４３  パネルの一方の端面
４４  パネルの他方の端面（対向端面）
【図１】
2010285156.tif 000003
【図２】
2010285156.tif 000004
【図３】
2010285156.tif 000005
【図４】
2010285156.tif 000006
【図５】
2010285156.tif 000007
【図６】
2010285156.tif 000008
【図７】
2010285156.tif 000009